(57)【要約】【課題】一貫的かつ正確にスイングショットを打つためのゴルファーの練習において使用するための装置を提供する。【解決手段】装置１，３０は、取り付け手段５によってゴルフクラブのシャフト６またはハンドグリップ部３１へと、シャフト６の長手軸に対して所定の鋭角にある線に沿って向くように固定することができる表示器１７を備えている。好ましくは、表示器１７が、取り付け手段５に対して可動である。この場合、表示器１７を動かしてシャフト６に対する或る範囲の鋭角に向けることができるように、表示器の動きを許容し、かつ表示器１７を前記範囲のうちの選択された角度に固定すべく締め付けることができるクランプ手段１６が設けられる。さらに、表面に目盛り１８が印されたプレート２を設けることができ、表示器１７が、目盛り１８を横切ってプレート２に対して移動することができる１つ以上の針を備えることができる。【選択図】図５
2009297520.tif 000002
【特許請求の範囲】
【請求項１】
スイングショットを打つためのゴルファーの練習において使用するための装置であって、
取り付け手段によってゴルフクラブのシャフトまたはハンドグリップ部へと、シャフトの長手軸に対して所定の鋭角にある線に沿って向くように固定することができる表示器を備えている装置。
【請求項２】
前記表示器が、前記取り付け手段に対して可動であり、
前記表示器をシャフトの長手軸に対する或る範囲の鋭角のいずれかに沿って向けるために、前記表示器の動きを許容し、かつ前記表示器を前記範囲のうちの選択された角度に固定すべく締め付けることができるクランプ手段が設けられている請求項１に記載の装置。
【請求項３】
表面に印を有しているプレートを備えており、
前記表示器が、前記プレート上で前記印に対して動かすことができる針を含んでいる請求項１または２に記載の装置。
【請求項４】
前記印が、当該装置がクラブへと固定されたときのシャフトの長手軸の少なくとも片側に、或る範囲の鋭角を表示する少なくとも１つの目盛りを備えている請求項３に記載の装置。
【請求項５】
少なくとも２つの針が設けられており、該針を、シャフトの長手軸の各側において選択された所定の角度で前記プレートへとそれぞれ固定することができる請求項３または４に記載の装置。
【請求項６】
前記針のそれぞれを、所定の選択された角度に個々に固定することができる請求項５に記載の装置。
【請求項７】
前記針を、前記プレートの片面へと、前記プレートの他方の面に設けられたハウジングに回転せぬように保持されたナットに螺合するねじファスナによって、固定することができる請求項３〜６のいずれか一項に記載の装置。
【請求項８】
前記プレートが、当該装置がクラブへと固定されるときにクラブのシャフトの長手軸に整列させることができる少なくとも１つの印を保持している請求項３〜７のいずれか一項に記載の装置。
【請求項９】
前記印が、当該装置がクラブへと固定されたときにシャフトの長手軸に平行である辺または線を含んでいる請求項８に記載の装置。
【請求項１０】
前記取り付け手段が、ゴルフクラブのシャフトまたはハンドグリップ部の周囲に閉じてゴルフクラブのシャフトまたはハンドグリップ部を把持するために、ヒンジでつなぎ合わせられた顎を備えている請求項１〜９のいずれか一項に記載の装置。
【請求項１１】
前記顎が、ねじおよび閉じ込められたナットの構成によって閉じた状態に保たれる請求項１０に記載の装置。
【請求項１２】
前記ねじが、該ねじが緩められたときに前記顎を開くように作用するばねの力に逆らって、締め込まれる請求項１１に記載の装置。
【請求項１３】
前記ねじが、該ねじを手によって締め、かつ緩めるように構成されたウイングを有する頭部を備えている請求項１１または１２に記載の装置。
【請求項１４】
前記顎のそれぞれが、リブを備えており、
或る範囲の直径のシャフトまたはハンドグリップ部を把持することができるよう、前記リブが、該リブの間においてはより小さな半径が、該リブの外側においてはより大きな半径が、前記顎によって定められるように配置されている請求項１０〜１３のいずれか一項に記載の装置。
【請求項１５】
当該装置をゴルフクラブのシャフトまたはハンドグリップ部にぴったりと装着できるよう、前記顎にクッションたわみ部が設けられている請求項１０〜１３のいずれか一項に記載の装置。
【請求項１６】
スイングショットを打つためのゴルファーの練習において使用するための請求項１〜１５のいずれか一項に記載の装置が固定されたゴルフクラブを含んでいる組立体。
【発明の詳細な説明】
【技術分野】
【０００１】
本発明は、一貫的かつ正確にショット、特にはスイングショットを打つためのゴルファーの練習において使用するための装置に関する。
【背景技術】
【０００２】
ゴルフの競技は、伝統的にスイングショットまたはグリーン上でのパットのいずれかである種々さまざまなストロークを必要とする。スイングショットとしては、例えばティーショットまたはグリーンまでの長いショットを打つときにフルスイングで行われる長距離ショット、例えばグリーンまでの比較的短いショットを打つときにより短いスイング（４分の３スイングまたは半スイング）で行われるショット、ならびに通常はグリーンの近くで行われるチップショット、バンカーショット、およびピッチングショットなどの短いショットが挙げられる。フルスイングで長距離ショットを行う場合、クラブを、ボールに衝突するときに高い速度で移動しているような方法でスイングする必要がある。クラブヘッドの経路および向きも、正確である必要がある。直線ショットは、インパクト時のクラブヘッドの経路が、意図されるショットの方向に沿っていること、およびクラブフェースの角度が、意図されるショットの方向に対して直角であることを必要とする。クラブヘッドの経路またはクラブフェースの角度のいずれかの小さな誤差によって、ショットが、意図される目標から遠く外れてしまう可能性がある。
【０００３】
正確なショットを一貫して打つための効果的なスイングを身につけることは、多数の体の動きの協調を必要とするため、困難である。スイングの全体におけるクラブの動きの様相が、きわめて重要である。いずれかの時点で動きが正しくないと、パワーの減少、ミスショット、不正確なショット、および一貫性の欠如につながりかねない。多数の誤差が、ゴルファーがクラブを振るときに生じる可能性があり、そのような誤差を特定することは、ゴルファーにとって困難である。
【０００４】
スイングにおいて最も重要な時点のうちの２つは、ゴルファーと向かい合う観察者の視点から見てクラブシャフトが垂直であるときのダウンスイングおよびフォロースルーにある。図１は、クラブＣをこのダウンスイング時点に保持しているゴルファーＧを表わしており、図２は、クラブＣをフォロースルースイング時点に保持しているゴルファーＧを表わしており、どちらの図も、ゴルファーと向かい合う観察者の視点から描かれている。スイングにおけるこれらの時点は、それぞれボールＢとの衝突の直前および直後であり、したがって、これらの時点においてクラブの正しい位置を達成することが、効果的なスイングを行う上で重要である。
【０００５】
正しい位置の１つの要素は、ショットの線に沿って見る視点からのクラブシャフトの角度である。理想的には、クラブシャフトが、図１のダウンスイング位置と図２のスルースイング位置との間を、仮想の平面に沿ってスイングされなければならない。この理想の平面は、この平面が地面と出会う交差の線が、意図されるショットの方向にてボールを通過するような平面である。また、この平面の地面に対する角度は、クラブのライ角と同じであるべきである。図３は、クラブＣをダウンスイング位置に保持しているゴルファーＧについて、ショットの線に沿って見る観察者の視点からの図であり、図４は、同様の図であるが、クラブＣのフォロースルー位置を示している。図３および図４の両者における破線は、上述の平面の位置を示しており、すなわち平面上の正しい位置に保持されたときのクラブシャフトの垂直に対する望ましい角度を示している。この平面の角度は、種々のクラブについて異なる。なぜならば、クラブのライ角が異なるからである。クラブの長さも異なっており、例えばドライバーはウェッジよりもはるかに長く、ゴルファーは、より短いクラブを使用するときには、ボールのより近くに立つ。
【０００６】
スイングの最中の或る時点における正しい位置の第２の要素は、クラブフェースの向きまたは整列である。クラブフェースの整列を、意図されるボールとの接触点においてクラブフェースに触れる仮想の線であって、クラブのフェースに正接し、かつクラブが意図されるインパクト位置にあるときに水平である線によって、定義することができる。アイアンは、典型的には、平たいフェースを有しており（一方で、ウッドのフェースは通常は湾曲している）、平たいフェースに、クラブが意図されるインパクト位置にあるときに水平となる溝が設けられており、その場合、上記整列の線は、溝に平行である。実際には、アイアンのクラブフェースの前縁およびウッドのクラブフェースの上縁が、典型的にはわずかな湾曲を有しているにもかかわらず、クラブフェースの整列の方向の大まかな視覚的評価に使用されることが多い。図１および図３に示したダウンスイング位置において、理想的には、クラブフェースの整列が、シャフトおよびゴルファーの左前腕によって定められる平面にあるか、あるいはそのような平面に平行であるべきであり、図２および図４に示したフォロースルー位置においては、クラブフェースの整列が、シャフトおよびゴルファーの右前腕によって定められる平面にあるか、あるいはそのような平面に平行であるべきである。整列が、正しい整列において前記平面にあるか、あるいは前記平面に平行であるかは、クラブの設計に依存して決まり、整列の線がシャフトを通過する直線と交わるか、あるいはそのような直線からずれているかに依存して決まる。
【０００７】
上述したダウンスイング時点およびフォロースルー時点に加えて、スイングにおける第３の重要な時点は、ゴルファーと向かい合う観察者から見てクラブシャフトが垂直であるときのバックスイングにある。この時点でのクラブの位置は、図１および３に図示してすでに説明したダウンスイング位置と同様（体の位置はわずかに異なるかも知れないが）であるべきである。ダウンスイング位置に関しては、クラブシャフトが、図３に破線で示した平面にあるべきであり、クラブフェースが、シャフトおよびゴルファーの左前腕によって定められる平面にあるか、あるいはそのような平面に平行であるように、整列すべきである。
【発明の概要】
【発明が解決しようとする課題】
【０００８】
本発明の目的は、一貫的かつ正確にスイングショットを打つためのゴルファーの練習において使用するための装置を提供することにある。特には、本発明の目的は、ゴルファーが、バックスイング、ダウンスイング、およびフォロースルーに関して上述した３つの時点のうちの少なくとも１つにおいて、自身のクラブが正しい位置にあるか否かを判断するために使用することができる装置を提供することにある。
【課題を解決するための手段】
【０００９】
本発明の第１の態様によれば、スイングショットを打つためのゴルファーの練習において使用するための装置であって、取り付け手段によってゴルフクラブのシャフトまたはハンドグリップ部へと、シャフトの長手軸に対して所定の鋭角にある線に沿って向くように固定することができる表示器を備えている装置が提供される。
【００１０】
ゴルフクラブのハンドグリップが、クラブのシャフトの上方部分を覆って固定されていることを、理解できるであろう。本発明による装置は、シャフトへの直接取り付け、またはシャフトの一部を覆っているハンドグリップへの取り付けのいずれにも適しているため、用語「シャフトの長手軸」は、本明細書および特許請求の範囲において使用されるとき、ゴルフクラブのハンドグリップ内に位置しているシャフトの部位を含むと解釈されなければならない。
【００１１】
好ましくは、前記表示器が、前記取り付け手段に対して可動であり、前記表示器をシャフトの長手軸に対する或る範囲の鋭角のいずれかに沿って向けるために、前記表示器の動きを許容し、かつ前記表示器を前記範囲のうちの選択された角度に固定すべく締め付けることができるクランプ手段が設けられる。
【００１２】
また、好ましくは、当該装置が、表面に印を有しているプレートを備えており、前記表示器が、前記プレート上で前記印に対して動かすことができる針を含んでいる。
【００１３】
また、好ましくは、前記印が、当該装置がクラブへと固定されたときのシャフトの長手軸の少なくとも片側に、或る範囲の鋭角を表示する少なくとも１つの目盛りを備えている。
【００１４】
また、好ましくは、少なくとも２つの針が設けられており、該針を、シャフトの長手軸の各側において選択された所定の角度で前記プレートへとそれぞれ固定することができる。
【００１５】
また、好ましくは、前記針のそれぞれを、所定の選択された角度に個々に固定することができる。
【００１６】
また、好ましくは、前記針を、前記プレートの片面へと、前記プレートの他方の面に設けられたハウジングに回転せぬように保持されたナットに螺合するねじファスナによって、固定することができる。
【００１７】
また、好ましくは、前記プレートが、当該装置がクラブへと固定されるときにクラブのシャフトの長手軸に整列させることができる少なくとも１つの印を保持している。この印は、当該装置がゴルフクラブへと固定されるときにクラブフェースに整列されるべきである。
【００１８】
また、好ましくは、前記印が、当該装置がクラブへと固定されたときにシャフトの長手軸に平行である辺または線を含んでいる。
【００１９】
また、好ましくは、前記取り付け手段が、ゴルフクラブのシャフトまたはハンドグリップ部の周囲に閉じてゴルフクラブのシャフトまたはハンドグリップ部を把持するために、ヒンジでつなぎ合わせられた顎を備えている。
【００２０】
また、好ましくは、前記顎が、ねじおよび閉じ込められたナットの構成によって閉じた状態に保たれる。
【００２１】
有利には、前記ねじが、該ねじが緩められたときに前記顎を開くように作用するばねの力に逆らって、締め込まれる。
【００２２】
また、好ましくは、前記ねじが、該ねじを手によって締め、かつ緩めるように構成されたウイングを有する頭部を備えている。
【００２３】
また、好ましくは、前記顎のそれぞれが、リブを備えており、或る範囲の直径のシャフトまたはハンドグリップ部を把持することができるよう、前記リブが、該リブの間においてはより小さな半径が、該リブの外側においてはより大きな半径が、前記顎によって定められるように配置されている。あるいは、当該装置をゴルフクラブのシャフトまたはハンドグリップ部にぴったりと装着できるよう、前記顎にクッションたわみ部が設けられている。
【００２４】
本発明の第２の態様によれば、ゴルフクラブと、スイングショットを打つためのゴルファーの練習において使用するための本発明の第１の態様による装置とを含んでいる組立体が提供される。
【００２５】
次に、本発明の実施形態を、添付の図面を参照して、一例として説明する。
【図面の簡単な説明】
【００２６】
【図１】クラブをダウンスイングにおいてクラブが垂直（ゴルファーと向かい合う観察者の視点から見て）であるときの位置に保持しているゴルファーの図である。
【図２】クラブをスルースイングにおいてクラブが垂直（ゴルファーと向かい合う観察者の視点から見て）であるときの位置に保持しているゴルファーの図である。
【図３】図１と同様の図であるが、ショットの線に沿って見る観察者の視点からの図である。
【図４】図２と同様の図であるが、ショットの線に沿って見る観察者の視点からの図である。
【図５】本発明による装置の第１の実施形態の斜視図であり、ゴルフクラブのシャフトへと固定された状態で示されている。
【図６】図５に示した装置の前方片側からの分解斜視図である。
【図７】図６と同様の図であるが、後方の片側からの分解斜視図である。
【図８】当該装置が取り付けられたクラブが図１および図３に示したバックスイングまたはダウンスイングの時点において正しい位置にあるときに右利きのゴルファーが目にする図５〜７に示した装置の前部の拡大図である。
【図９】図８と同様の図であるが、クラブが図２および図４のスルースイング位置において正しい位置にあるときに右利きのゴルファーが目にする眺めを示している。
【図１０】ゴルフクラブのグリップの周囲に装着されたときの装置の第２の実施形態の正面図である。
【図１１】図１０の線ＸＩ−ＸＩに沿った横断面である。
【図１２】ゴルフクラブがスイングショットを行う直前のボールにアドレスする位置に保持されたときに設置することができるとおりの図１０および図１１に示した装置の概略の正面図である。
【発明を実施するための形態】
【００２７】
図５〜１１は、以下の説明に示されるとおり、大まかには同様の構成であるが、小さな相違を有している装置１および３０の実施形態を示している。どちらの実施形態の装置１、３０も、前面３を有するプレート２を備えており、プレート２は、その後面４において、装置１、３０をゴルフクラブのシャフト６へとクラブのハンドグリップ３１の下方において固定し、あるいは好ましくは、クラブのハンドグリップ３１を覆うようにして固定するための取り付け手段５へと固定されている。いずれの場合も、取り付け手段５は、プレート２を、クラブのシャフト６の長手軸に平行な平面に位置するように固定する。したがって、装置１、３０は、プレート２を取り付け手段５へとあらかじめ装着した状態で供給されるように意図され、ゴルファーが、装置のこれらの部材を互いに分離させるようには意図されていない。装置１においては、取り付け具が、取り付け手段５上の突起７によって形成されており、突起７が、プレート２の後面４のハウジング９に成型されたチャネル８へと滑り込む。装置３０においては、プレート２の後面４のチャネル３３にスナップ嵌合する突起３２が設けられている。しかしながら、プレート２および取り付け手段５を、例えばねじ、接着剤による接合、または溶接など、他の方法で一体に固定できることを、理解できるであろう。あるいは、これらを一体に形成してもよい。
【００２８】
取り付け手段５は、シャフト６またはハンドグリップ３１の周囲へと閉じて、シャフト６またはハンドグリップ３１を把持するために、１１においてヒンジでつなぎ合わせられた１対の顎１０を備えている。顎１０は、ヒンジ１１に隣接して顎１０に形成された開口に係合し、閉じ込められたナット１３へとねじ込まれるねじ１２によって、閉じた状態に保持される。装置３０の第２の実施形態においては、ねじ１２が、ばね３４の力に逆らって締め込まれる。ばね３４は、使用時のハンドグリップ３１の周囲への配置を容易にするために、ばねが緩められたときに顎１０を開くように作用している。ねじ１２は、手によって締められ、かつ緩められるように意図されており、頭部が、この操作を容易にするためのウイング１４を有している。顎１０は、一体となってシャフト６またはハンドグリップ３１の周囲をクランプできるよう、湾曲している。装置１が或る範囲の直径のシャフト６に適合できるよう、顎１０に、例えばゴムまたは同様の弾性材料からなり、シャフト６の損傷を防止するとともに、シャフト６へのぴったりとした装着を提供するクッションたわみ部１５を備えることができる。あるいは、ハンドグリップ３１へと取り付けられて示されている装置３０においては、顎１０のそれぞれに、１対の間隔を空けたリブ３５が設けられている。リブ３５は、使用時にシャフト６に実質的に平行に位置するように、顎１０を横切って延びるように配置されており、顎１０のそれぞれが、或る範囲の直径のハンドグリップ３１を把持することができるよう、１対のリブ３５の間により小さな半径を定め、リブ３５の外部により大きな半径を定めている。リブ３５が、ねじ１２が締め込まれたときにハンドグリップ３１を圧縮して、密な装着を保証する。
【００２９】
プレート２の前面３には、クランプ手段１６によって、プレート２上を移動することができる針１７の形態の表示器が固定されている。この表示器を、装置１、３０がシャフト６へと固定されたときに、シャフト６の長手軸に平行な線、またはシャフト６に対して所定の鋭角にある線に沿って向くように使用することができる。特定の角度の選択において役立つように、少なくとも１つの目盛り１８が、針１７が移動することができるプレート２の前面３に印されており、シャフト６の少なくとも片側、好ましくは両側において、或る範囲の鋭角を表示している。図示の実施形態においては、目盛り１８が、図８および図９を参照して後述される位置に保持されたクラブへと取り付けられているとき、水平に対するシャフト６の角度を示す。したがって、目盛り１８は、プレート２の前面３においてシャフトの長手軸の両側に或る範囲の鋭角（装置１においては４５°〜７５°の間であり、装置３０においては４０°〜７５°の間である）を示している。したがって、プレート２は、好ましくは弓形に製作されることによって、そのような目盛り１８を収容するために充分なサイズである。両方の実施形態において、シャフト６の長手軸の両側において角度を示すことができるよう、２つの針１７が設けられている。目盛り１８が、他の範囲の角度を示してもよく、あるいはプレート２に、他の適切な印を設けてもよいことを、理解できるであろう。おそらくは識別を容易にすべく異なる色で製作されるさらなる針も、設けることが可能である。
【００３０】
クランプ手段１６は、針１７をそれぞれの選択された角度に別個独立に固定することを可能にし、針１７の端部に形成された穴１９を通過するねじファスナを備えている。ねじファスナは、ナット２１へと締め込まれたときに針１７を所望の位置に固定する大きくされた刻み付きの頭部２０を有している。ナット２１は、プレート２の後面４のハウジング２２に、回転せぬように保持されている。ワッシャ２３が、把持をもたらすために、針１７の間および針１７とプレート２との間に配置されている。
【００３１】
さらに、プレート２の前面３には、装置１、３０がクラブへと固定されたときにクラブのシャフト６の長手軸に整列することができる少なくとも１つ、好ましくは２つのさらなる印２４が設けられている。これらの印２４は、クラブフェースの整列が正しいか否かを示すために用いられるように意図されている。装置１においては、２つの印２４が矩形の形態で設けられ、その一方が目盛り１８の中央に位置し、他方がこれに整列してプレート２の頂点に配置されている。矩形の印２４の幅、すなわち向かい合う辺２５および２６（図８および図９を参照）の間の距離は、シャフト６またはハンドグリップ３１へと固定されたときのプレート２のシャフト６またはハンドグリップ３１の表面からの距離に依存して決まり、したがって取り付け手段５の形式に応じてさまざまである。したがって、矩形の印２４の幅は、装置１のそれぞれの設計またはサイズについて個々に決定されなければならない。あるいは、図１０に示されるように、装置３０は、３本の平行線の形態をとるただ１つの印２４を有している。外側の２本の線３６が、バックスイング位置およびダウンスイング位置（図８および図９を参照）においてこれらの線の中央がグリップ３１の中央に整列するように、矩形の印の辺２５および２６と同じ方法で機能する。中央の線３７は、装置３０がクラブに固定されるとき、装置３０を正しく整列するために使用される。
【００３２】
使用時に、装置１、３０は、スイングの最中の１つ以上の時点においてクラブが正しい位置にあるか否かについて、フィードバックをもたらすように意図されており、したがって、スイングの改善およびゴルフの上達のためにゴルファーを手助けすることができる。さらに、装置１、３０は、ゴルファーを指導するときのコーチを手助けすることができる。この目的のため、装置１、３０を使用するとき、ゴルファーは、最初に表示器の針１７を望ましい所定の角度へと動かし、クラブをスイングするときに針１７の動きを止めておくクランプ手段１６を使用して、針１７を動かぬように固定する。好ましくは、両方の針１７が、目盛りの中央の各側において、同じ角度に設定される。この角度は、好ましくは、使用されるクラブのライ角である。種々のクラブのための典型的な角度を、装置１、３０の使用説明書において指定することができる。あるいは、ゴルファーが、自身のクラブのライ角の仕様に応じて必要な角度を選択してもよく、あるいは例えばコーチからの助言の後で、自身の好みに適するように必要な角度を選択してもよい。一部のゴルファーまたはコーチは、理想的な平面の角度について別の理論を持っているかもしれず、上述したスイングの３つの異なる時点において異なる角度を好むことさえ考えられる。したがって、２つの針を、それらの角度のうちの２つへと設定することができ、変更を加えた構成においては、３つの時点のすべてについて異なる角度を表示することができるように、第３の針を設けることも可能である。
【００３３】
次いで、ゴルファーは、装置１、３０を、取り付け手段５を使用してゴルフクラブへと取り付ける。ゴルファーがクラブを振るときに装置１が動いてしまわないように、顎１０を充分にきつく閉じる必要がある。装置１、３０を、図１２のアドレス位置に示されているように、ハンドグリップ３１のすぐ下方でクラブへと取り付けるべきであり、あるいは好ましくはハンドグリップ３１へと取り付けるべきである。また、装置１、３０を、アドレス位置においてプレート２が意図されるショットの線に平行な平面におおむね位置し、かつシャフト６の垂直上方のゴルファーの視点から見て、シャフト６の長手軸に沿った中心が矩形の印２４の中心または線３７に整列するように、整列させなければならない。
【００３４】
ゴルファーは、クラブをスイングするときに、図１〜４に示したバックスイング、ダウンスイング、およびフォロースルーの時点において、クラブの位置をチェックすることができる。ゴルファーは、これを、これらの時点においてクラブを停止させ、クラブが正しい位置にあるか否かをチェックすべく装置１、３０を使用することによって行うことができる。図８は、クラブが図１および３のバックスイング時点またはダウンスイング時点において正しい位置にあるときの装置１について、右利きのゴルファーの眺めを示している。この図に示されているとおりの装置１の左側の針１７が、クラブの平面の角度が正しいか否かを示すために使用される。この針１７が垂直であれば、角度は正しい。印２４が、クラブフェースの整列が正しいか否かを示すために使用される。矩形の印２４の左上の辺２５がシャフト６の中央に見える場合、クラブフェースは正しく整列している。図９は、クラブが図２および図４のスルースイング位置において正しい位置にあるときの装置１について、右利きのゴルファーの眺めを示している。この位置において、この図に示されているとおりの装置の右側の針１７が、クラブの平面の角度が正しいか否かを示すために使用される。この針１７が垂直であれば、角度は正しい。印２４が、やはりクラブフェースの整列が正しいか否かを示すために使用される。矩形の印２４の右上の辺２６がシャフト６の中央に見える場合、クラブフェースは正しく整列している。
【００３５】
上述のとおり、以上の説明は、右利きのゴルファーに当てはまるが、装置１、３０は、左利きのゴルファーにとっても同じ方法で使用可能である。この場合、バックスイングまたはダウンスイングにおける左利きのゴルファーの眺めは、図９に示した眺めになると考えられ、スルースイングにおける眺めが、図８に示した眺めになると考えられる。
【００３６】
装置１、３０は、フルスイングを行うために使用されるあらゆるクラブに取り付けることが可能であり、さまざまな方法で利用することが可能である。一例においては、ゴルファーが、ボールを使用せずにクラブをゆっくりと振り、すでに述べたバックスイング、ダウンスイング、およびスルースイングの時点においてスイングを停止させ、クラブが正しい位置にあるか否かをチェックする。装置１、３０からの視覚的なフィードバックを使用することによって、ゴルファーは、正しい位置を実現すべくクラブを振ることを学習できる。装置１、３０を使用して繰り返し練習を行うことで、ゴルファーは、より良好な方法でクラブを振ることを練習することができる。この練習により、ゴルファーは、ゴルフコースにおいてボールを打つときに、同じ方法でスイングを行うことができるであろう。
【００３７】
また、ゴルファーは、装置１、３０をクラブへと取り付けた状態でショットを打つこともできる。ゴルファーは、練習のバックスイングを行い、図１および３に示した時点でスイングを停止させることができる。次いで、クラブが正しい位置にあるか否かをチェックするために、装置１、３０を使用することができる。次に、ゴルファーは、練習のスイングと同じ動きを繰り返すように試みつつ、実際のショットを行うことができる。また、ゴルファーは、図２および図４に示したスイングの位置で終わる短縮されたスイングを使用し、この時点においてクラブが正しい位置にあるか否かをチェックするために装置を使用することができる。さらに、ゴルファーは、図１および３に示した位置からスイングを開始してもよい。
【００３８】
また、装置１、３０を、スイングの最中の別の時点において使用することも可能である。例えば、バックスイング、ダウンスイング、またはスルースイングにおいてクラブのシャフトが地面に対して平行であり、かつほぼ腰の高さにあるとき、クラブフェースの整列が、垂直面内になければならず、矩形の印２４が、ゴルファーの視点から見てシャフトの中央になければならない。
【００３９】
また、ゴルファーが、直線ショットではなく、フェードまたはドローを打ちたいと望む場合には、装置１、３０を、別の方法でシャフト６へと取り付けることができる。ドローを打つためのスイングを学習するために、ゴルファーは、アドレスにおいて矩形の印２４の中心または中央の線３７が、ゴルファーの視点から見てシャフト６の中心の右側に位置するように、装置１、３０をシャフト６へと固定すべきである。フェードを打つためのスイングを学習するためには、ゴルファーは、アドレスにおいて矩形の印２４の中心または中央の線３７が、ゴルファーの視点から見てシャフト６の中心の左側に位置するように、装置１、３０をシャフト６へと固定すべきである。次いで、ゴルファーは、すでに説明したように装置１、３０を使用する。
【００４０】
さらに、装置１、３０を、より短いピッチショットおよびバンカーショットのために、上述と同じ方法で使用することも可能である。
【００４１】
本発明による装置の別のさらに簡潔な実施形態においては、調節可能な針ではなく、印刷による印の形態の１つまたは複数の表示器１７を、平面の角度を示すために使用することができる。この場合に、プレート２を、印刷による印を備えるのではなく、矢印を備えて製作することができる１つ以上のフィンガの形態へと縮小することができる。そのような表示器は、取り付け手段５に対して動かすことが不可能であり、したがって装置１、３０の使用が、そのような１つまたは複数の表示器の位置に応じてあらかじめ決まる平面の角度に限定されるであろう。
【００４２】
他の実施形態においては、上述した矩形の印ではなく、クラブフェースの整列を示す別の印２４を使用することができる。例えば、シャフト６の中心またはシャフト６の縁の正しい位置を示すために、矩形および線の代わりに、矢印を使用することができる。また、印を、上述した整列とは異なるクラブフェースの整列を示すために、使用することも可能である。コーチが、正しい整列について別の理論を持っているかも知れない。直線ショットではなくドローまたはフェードショットを打つために、別の整列も使用することができる。
【図１】
2009297520.tif 000003
【図２】
2009297520.tif 000004
【図３】
2009297520.tif 000005
【図４】
2009297520.tif 000006
【図５】
2009297520.tif 000007
【図６】
2009297520.tif 000008
【図７】
2009297520.tif 000009
【図８】
2009297520.tif 000010
【図９】
2009297520.tif 000011
【図１０】
2009297520.tif 000012
【図１１】
2009297520.tif 000013
【図１２】
2009297520.tif 000014